(57)【要約】【課題】底部が角底状でない通常の包装袋でも、縦方向に強度を持たせて直立性に優れた包装袋にする。【解決手段】少なくとも基材（１２）にシーラント層（１３）が積層された包装材料（１１）をシーラント層を内側にして横断面が長方形状の筒状体（１）に形成し、筒状体の短辺側に二辺（２）をそれぞれ内方に折り込んで折り込み部（３）を形成させ、折り込み部の両方の端縁（４）に長手方向に延びる柱状の補強シール部（５）を各々形成させ、重なり合った長辺側の一方の端縁（６）を熱接着して底シール部（７）を形成させた。【選択図】図１
2006016006.tif 000002
【特許請求の範囲】
【請求項１】
少なくとも基材にシーラント層が積層された包装材料をシーラント層を内側にして横断面が長方形状の筒状体に形成し、
前記筒状体の短辺側の二辺をそれぞれ内方に折り込んで折り込み部を形成させ、該折り込み部の両方の端縁に長手方向に延びる柱状の補強シール部を各々形成させ、
重なり合った長辺側の一方の端縁を熱接着して底シール部を形成させたことを特徴とする、直立性に優れた包装袋。
【請求項２】
前記補強シール部のシール幅は、折り込み部の折り込み幅に対して４０％以上７０％未満であることを特徴とする、請求項１記載の直立性に優れた包装袋。
【請求項３】
前記折り込み幅は、筒状体の長辺側の幅の５％以上１０％未満であることを特徴とする、請求項１又は２記載の直立性に優れた包装袋。
【発明の詳細な説明】
【技術分野】
【０００１】
本発明は、直立性に優れた包装袋に関するものであり、特には、底部が角底でない単純な横シールでありながら、自立性、陳列適性に優れた包装袋に関する。
【背景技術】
【０００２】
従来、内容物として比較的重量のある味噌等を収納する包装袋として、例えば、角底状のガゼット袋が使用されていた。そして、ガゼット袋の形状を維持するために補強用の柱シールを設けることが提案されている（例えば、特許文献１、特許文献２参照）。
【０００３】
上記先行技術文献を示す。  
【特許文献１】実開昭４９−１０９２０号公報
【特許文献２】実開昭５０−３９１４号公報。
【０００４】
しかし、角底状のガゼット袋は、専用の製袋機でなければ作製することができず、製袋能率が低く、また、角底部分は折り込み部分が複雑で直角状のシール部を有し、完全なシールがしにくいという問題がある。
【０００５】
さらにまた、通常の四方シール機等の一般的に使用している製袋機で作製される三方シール袋などでは、内容物を収納した包装袋が直立性を保つことはなかった。
【発明の開示】
【発明が解決しようとする課題】
【０００６】
本発明は、角底状のガゼット袋や、通常の三方シール袋などが有する以上のような問題に鑑みてなされたもので、底部が角底でない通常の包装袋（上下シールが単純な横シール）の横方向に浅く折り込み部を設け、その折り込み部に補強シールを施すことにより、縦方向の強度を持たせて直立性に優れた包装袋を提供することを課題とする。
【課題を解決するための手段】
【０００７】
本発明の請求項１の発明は、少なくとも基材にシーラント層が積層された包装材料をシーラント層を内側にして横断面が長方形状の筒状体に形成し、前記筒状体の短辺側の二辺をそれぞれ内方に折り込んで折り込み部を形成させ、該折り込み部の両方の端縁に長手方向に延びる柱状の補強シール部を各々形成させ、重なり合った長辺側の一方の端縁を熱接着して底シール部を形成させたことを特徴とする、直立性に優れた包装袋である。
【０００８】
このように請求項１記載の発明によれば、少なくとも基材にシーラント層が積層された包装材料をシーラント層を内側にして横断面が長方形状の筒状体に形成し、前記筒状体の短辺側の二辺をそれぞれ内方に折り込んで折り込み部を形成させ、該折り込み部の両方の端縁に長手方向に延びる柱状の補強シール部を各々形成させ、重なり合った長辺側の一方の端縁を熱接着して底シール部を形成させているので、比較的重量のある内容物を収納しても陳列棚に陳列した際に直立性を保つ。また、角底状でないため複雑な製袋工程を必要とせず、一般的な製袋機で作製することができる。
【０００９】
また、請求項２の発明は、請求項１の発明において、前記補強シール部のシール幅は、折り込み部の折り込み幅に対して４０％以上７０％未満であることを特徴とする、直立性に優れた包装袋である。
【００１０】
このように請求項２記載の発明によれば、補強シール部のシール幅は、折り込み部の折り込み幅に対して４０％以上７０％未満であるので、優れた直立性を維持できる。
【００１１】
また、請求項３の発明は、請求項１又は２の発明において、前記折り込み幅は、筒状体の長辺側の幅の５％以上１０％未満であることを特徴とする、直立性に優れた包装袋である。
【００１２】
このように請求項３記載の発明によれば、折り込み幅が筒状体の長辺側の幅の５％以上１０％未満であるので、自立性、陳列適性に優れた包装袋になる。
【発明の効果】
【００１３】
このように本発明の直立性に優れた包装袋は、底部を単純な横シールで形成したにもかかわらず、折り込み部の両端縁に長手方向に延びる柱状の補強シール部を設けたことにより、比較的重量のある内容物を収納しても、陳列棚等に陳列した際に袋が直立性を保ち、自立性、陳列適性に優れるという効果がある。
【発明を実施するための最良の形態】
【００１４】
本発明を一実施形態に基づいて以下に詳細に説明する。
【００１５】
本発明の直立性に優れた包装袋（１０）は、例えば、図１、図２に示すように、まず、少なくとも基材（１２）にシーラント層（１３）が積層された包装材料（１１）をシーラント層（１３）を内側にして横断面が長方形状の筒状体（１）に形成する。
【００１６】
そして、筒状体（１）の短辺側の二辺（２）をそれぞれ内方に折り込み折り込み部（３）を形成させ、該折り込み部の両方の端縁（４）に長手方向に延びる柱状の補強シール部（５）を各々形成させ、重なり合った長辺側の一方の端縁（６）を熱接着して底シール部（７）を形成させたものである。
【００１７】
包装材料（１１）を形成する基材（１２）としては、ポリエチレンテレフタレートフィルム、ポリプロピレンフィルム、ナイロンフィルム、アルミニウム箔、薄紙など一般的に公知のプラスチックフィルム、紙や金属箔が使用できる。
【００１８】
また、必要に応じて基材の表面又は裏面に印刷層やニス層（図示せず）を設けることもできる。
【００１９】
アルミニウム箔を使用せずに、ガスバリア性をアルミニウム箔なみに向上させるため、基材のプラスチックフィルムに酸化アルミニウムや酸化ケイ素などの無機化合物の薄膜を物理蒸着あるいは化学蒸着などの蒸着法により２０〜１００ｎｍ程度の厚さに設けた無機化合物蒸着プラスチックフィルムを用いることもできる。この場合のプラスチックフィルムとしては、延伸されたポリエチレンテレフタレートフィルムが好ましく使用できる。
【００２０】
シーラント層（１３）は、包装材料に熱接着性を付与する層で、ポリエチレン，ポリプロピレン、エチレン共重合体、飽和ポリエステルなど公知の熱融着性を有する樹脂が使用できる。
【００２１】
落下強度、突き刺し強度やガスバリア性を向上させる必要がある場合、図３に示すように、基材（１２）とシーラント層（１３）の間に中間層（１４）を介在させることができる。中間層（１４）としては、例えば、ナイロンフィルム、ポリエステルフィルム等が好ましく使用できる。また、この中間層（１４）には、酸化ケイ素、酸化アルミニウム等の
無機化合物の蒸着層を含んでも良い。
【００２２】
補強シール部（５）のシール幅（Ｗ）は、折り込み部（３）の折り込み幅（Ｌ）の４０％以上７０％未満とすることが好ましい。
すなわち、０．４Ｌ≦Ｗ＜０．７Ｌとすることが好ましい。０．４Ｌ≦Ｗ＜０．７Ｌの関係が満たされている場合は、直立性を維持でき、０．４Ｌ以下になると直立性付与の効果が不十分となり、０．７Ｌ以上にすると、折り込み部を設ける効果（内容物収納量を増やす効果）が損なわれる。
【００２３】
また、折り込み部（３）の折り込み幅（Ｌ）は、収納する内容物の収納量にもよるが、左右それぞれの折り込み幅（Ｌ）が筒状体の長辺側の幅、すなわち、包装袋の横方向の長さ（Ｙ）、の５％以上１０％未満である場合（０．０５Ｙ≦Ｌ＜０．１Ｙ）に、本発明の効果が著しく発揮される。
【００２４】
折り込み幅（Ｌ）が０．０５Ｙ以下になると、折り込み部を設ける効果（内容物収納量を増やす効果）が得られず、０．１Ｙを超えると、包装袋の開口厚みが広くなてしまい、底部が角底状となってしまい、自立性、陳列適性に劣る。
【００２５】
このような構成からなる本発明の包装袋（１０）に内容物を所定量収納して、開口している長辺側のもう一方の端縁（８）を熱接着して天シール部（図示せず）を形成させることにより内容物が収納された包装袋となる。この包装袋は、直立性に優れているため、陳列棚に陳列した際は、直立性を保っている。
【図面の簡単な説明】
【００２６】
【図１】本発明の直立性に優れた包装袋の一実施例を示す、（ａ）は斜視説明図であり、（ｂ）は（ａ）のＡ−Ａ’線断面説明図である。
【図２】本発明の包装袋に使用する筒状体を折り込んで袋にする工程を模式的に示す、断面説明図である。
【図３】本発明の包装袋に使用する包装材料の別の層構成を示す、断面説明図である。
【符号の説明】
【００２７】
１‥‥筒状体
２‥‥短辺側の二辺
３‥‥折り込み部
４‥‥折り込み部の端縁
５‥‥補強シール部
６‥‥長辺側の一方の端縁
７‥‥底シール部
８‥‥長辺側のもう一方の端縁  
１０‥‥包装袋
１１‥‥包装材料
１２‥‥基材
１３‥‥シーラント層
１４‥‥中間層
Ｌ‥‥折り込み幅
Ｗ‥‥補強シール部のシール幅
Ｙ‥‥筒状体の長辺の幅、包装袋の横方向の長さ
【図１】
2006016006.tif 000003
【図２】
2006016006.tif 000004
【図３】
2006016006.tif 000005